(57)【要約】【課題】設置作業時間を短縮化するなかで、グースネックマイクロホン含む各種のマイクロホンをその重量の如何に拘わらず、確実に保持することができるマイクロホン取付け具の提供。【解決手段】マイクロホン４１側が挿通される挿通孔１５を有する弾性保持体１２と、同じくマイクロホン４１側が挿通される挿通孔２４，３５を有し、かつ、挟持される弾性保持体１２への加圧調整を自在に設置台５１上に位置固定される取付けユニット２２とで構成され、該取付けユニット２２は、設置台５１上に載置される固定側支持体２３と、該固定側支持体２３への接離に応じて弾性保持体１２に対する押圧力を可変にして配設される可動側支持体３３とを備え、該可動側支持体３３は、生成する押圧力に応じて弾性保持体１２のマイクロホン４１の基端部４２方向への膨出調整を自在に形成して弾性保持体１２のみにマイクロホン４１側を保持させて設置できるようにした。【選択図】図１
2008219687.tif 000002
【特許請求の範囲】
【請求項１】
マイクロホンの基端部が挿通される挿通孔を有する弾性保持体と、マイクロホンの前記基端部が挿通される挿通孔を有し、かつ、挟持される前記弾性保持体への加圧調整を自在に設置台上に位置固定される取付けユニットとで構成され、
該取付けユニットは、設置台上に載置される固定側支持体と、該固定側支持体に対する上下方向での接離に応じて前記弾性保持体に対する押圧力を可変にして配設される可動側支持体とを備え、
該可動側支持体は、生成する押圧力に応じて前記弾性保持体のマイクロホンの前記基端部方向への膨出調整を自在に形成して前記弾性保持体のみに前記マイクロホン側を保持させてその設置を自在としたことを特徴とするマイクロホン取付け具。
【請求項２】
前記固定側支持体と前記可動側支持体とのいずれか一方の側には、他方の側との関係で接離方向を案内する位置規制部を設けた請求項１に記載のマイクロホン取付け具。
【発明の詳細な説明】
【技術分野】
【０００１】
本発明は、設置作業時間を短縮化するなかで、グースネックマイクロホンを好適に保持することができるマイクロホン取付け具に関する技術である。
【背景技術】
【０００２】
例えば、発言者の多い会議場などでは、マイクロホンユニットを発言者の口元近づけることができるグースネックマイクロホンが多く用いられている。この場合、会場には、大量のマイクロホンがテーブルを含む設置台に取り付けられている。
【０００３】
このようなマイクロホンの設置には、その数が大量であることから、膨大な作業時間が費やされている。このうち、会議専用のホールなどに半恒久的に設置される場合には、下記特許文献１に開示されているような、設置に要する作業時間を短縮化して簡便に設置できるようにしたものもある。
【特許文献１】特許第３３９３０７３号公報。
【０００４】
しかし、特許文献１に開示されているものは、半恒久的に設置する場合に適用されるものであることから、マイクロホン側と設置台側との双方に設置のために必要となる構造を具備させておく必要がある。しかし、会議終了後に設置台とともにマイクロホンが片づけられてしまう設置方式の場合には、設置台側に設置に必要な構造を敢えて具備させておくことはコスト的に無駄となる。
【０００５】
このため、会議が臨時的に開催されるような会場においては、従来よりマイクロホンを保持しつつ、設置台へ簡便に固定することのできる構造を備えるマイクロホン取付け具を介して、マイクロホンを設置台上に設置できるようにしたものもある。
【０００６】
図４は、上記したような従来からあるマイクロホン取付け具の一例につき、その設置状態を部分断面構造を含めて示す説明図である。また、図５は、図４に例においてマイクロホン取付け具を構成している取付けユニットの平面図である。
【０００７】
これらの図によれば、マイクロホン取付け具１は、マイクロホン８の基端部８ａを保持する保持体２と、該保持体２を支持し、設置台９の側に位置固定する取付けユニット３とで少なくとも構成されている。
【０００８】
このうち、取付けユニット３は、マイクロホン８の基端部８ａ側を挿通させるための中央開口Ｈを有し、該中央開口Ｈの周囲でマイクロホンユニット８ｃ側に向け立ち上げられた中央突出部３ａと、該中央突出部３ａの裾側のフランジ部３ｂと、該フランジ部３ｂに嵌挿され、設置台９側に当接する当接柱状体４とで構成されている。
【０００９】
また、当接柱状体４は、ねじ孔５が設けられた円筒片部４ａと、該円筒片部４ａの外周側を抱持する、例えばゴムなどが用いられて形成された円筒状弾性材４ｂとで構成されており、ねじ材７の呼び込み側がフランジ部３ｂと面一とされ、該フランジ部３から設置台９側に向け突出させた部位が該設置台９と当接している。
【００１０】
さらに、当接柱状体４は、図５に示すように、フランジ部３ｂの同一円周上に等間隔に、３つ配設されている。この場合、各ねじ孔５は、ねじ材７として用いられる木ねじの頭部を定置させるべく、ねじ材７の呼び込み側で大径に形成されている。
【００１１】
この場合、取付けユニット３は、円筒状弾性材４ｂを除き、例えば、金属や硬質プラスチックなどの硬質な素材を用いて形成されている。
【００１２】
一方、保持体２は、適宜の金属素材を用いて環状に形成されており、その中央突出部３ａに径方向に穿設された雌ねじ孔６に螺合する図示しない雄ねじを一体的に備え、該雄ねじの進退に応じての縮径と拡径とが自在となっており、基端部８ａの外周側に圧接してマイクロホン８を保持している。
【００１３】
図４に示すマイクロホン取付け具１は、このように構成されているので、各ねじ孔５を介して挿通されたねじ材７を設置台９に止着することで、当接柱状体４を介して設置台９上に位置固定され、しかる後、保持体２を基端部８ａの外周側に径寸法が調整させながら圧接させてマイクロホン８を保持できることになる。
【００１４】
この場合、マイクロホン８は、フレキシブルパイプが支柱８ｂとして用いられたグースネックマイクロホンであり、保持体２が圧接する基端部８ａには、図示しない出力コネクタなどの出力ユニットが収納されている。
【００１５】
このように、比較的簡便に設置台９に固定してマイクロホン８を保持するマイクロホン取付け具１は、設置台９に対し、円筒状弾性材３ｃを含んで形成された当接柱状体４を当接させることで、設置台９側からの振動音を円筒状弾性材３ｃのショックマウント効果により軽減してマイクロホン９側に伝えることができることになる。
【発明の開示】
【発明が解決しようとする課題】
【００１６】
ところで、上記従来例のマイクロホン取付け具１は、マイクロホン８の取付け作業と、その取外し作業とを容易に行うことができるものの、設置台９上に位置固定させる作業と、マイクロホン８を保持させる作業とが別工程となっており、このことが作業時間の短縮化を妨げる大きな要因となる不都合があった。
【００１７】
しかも、支柱８ｂを長くした重量の大きなマイクロホン８に交換する必要が生じた場合には、保持体２が増加した重量に対応しきれず変形し、その結果、マイクロホン８が前垂れしてしまうという不具合もあった。
【００１８】
本発明は、上記課題に鑑み、設置作業時間を短縮化するなかで、グースネックマイクロホン含む各種のマイクロホンをその重量の如何に拘わらず、確実に保持することができるマイクロホン取付け具を提供することを目的としている。
【課題を解決するための手段】
【００１９】
本発明は、上記目的を達成すすべくなされたものであり、マイクロホンの基端部が挿通される挿通孔を有する弾性保持体と、マイクロホンの前記基端部が挿通される挿通孔を有し、かつ、挟持される前記弾性保持体への加圧調整を自在に設置台上に位置固定される取付けユニットとで構成され、該取付けユニットは、設置台上に載置される固定側支持体と、該固定側支持体に対する上下方向での接離に応じて前記弾性保持体に対する押圧力を可変にして配設される可動側支持体とを備え、該可動側支持体は、生成する押圧力に応じて前記弾性保持体のマイクロホンの前記基端部方向への膨出調整を自在に形成して前記弾性保持体のみに前記マイクロホン側を保持させてその設置を自在としたことを最も主要な特徴としている。
【００２０】
この場合、前記固定側支持体と前記可動側支持体とのいずれか一方の側には、他方の側との関係で接離方向を案内する位置規制部を設けておくのが好ましい。
【発明の効果】
【００２１】
請求項１の発明によれば、弾性保持体の圧縮変形の程度を変えることで長い支柱部を備えるマイクロホンと短い支柱部を有するマイクロホンとのいずれにも対応させながらマイクロホンの基端部を保持させて設置台上に安定的に設置することができるほか、ショックマウントとしての機能をも有する弾性保持体のみでマイクロホンの基端部を保持させ設置台側から伝わる振動雑音を緩和することもできる。
【００２２】
請求項２の発明によれば、位置規制部を介して接離方向での動きを規制しながら均等な加圧力を得ることで、弾性保持体を基端部側に向けて偏りなく膨出させることができる。
【発明を実施するための最良の形態】
【００２３】
図１は、本発明によるマイクロホン取付け具の一例につき、取付け前の状態を断面を含め側方から見て他部材との位置関係とともに示す説明図である。また、図２は、図１に示すマイクロホン取付け具を構成している取付けユニットを示す平面図であり、そのうちの（ａ）は固定側支持体側を、（ｂ）は可動側支持体側をそれぞれ示す。
【００２４】
これらの図によれば、マイクロホン取付け具１１は、マイクロホン７１の基端部７２を挿通保持する弾性保持体１２と、該弾性保持体１２を外側から支持してマイクロホン４１をその基端部４２を介して設置台５１上に位置固定するための取付けユニット３２とで構成されている。
【００２５】
このうち、例えばゴムなどからなる弾性保持体１２は、円柱状の本体部１３と、該本体部１３の上面に形成された前傾斜面部１４とを備え、その軸方向での中央部にマイクロホン４１の基端部４２を挿通させるための挿通孔１５が形成されている。なお、弾性保持体１２は、常態時に後述する可動側支持体３３の内側凹陥部３４の座高を上回る寸法の厚さとなるように形成されている。
【００２６】
取付けユニット２２は、金属や硬質プラスチックなどの硬質な素材により形成された固定側支持体２３と可動側支持体３３との組合せで構成されている。このうち、固定側支持体２３は、設置台８１上に載置されるものであり、その軸方向での中央部にマイクロホン４１の基端部４２が挿通される挿通孔２４を備えている。
【００２７】
また、傘状を呈する可動側支持体３３は、保持体２２の前傾傾斜面２７と、該前傾斜面部２７に続く外周面２４とへの当接と、マイクロホン４１の基端部４２の緩い挿通とを自在に形成された内側凹陥部３４と、固定側支持体２３の周端面２５への摺接が自在に形成された短寸筒状を呈する位置規制部３６とを備えている。
【００２８】
しかも、固定側支持体２３と可動側支持体３３とには、設置台５１に一体的に位置固定する際に木ねじなどのねじ材６１を挿通させるための通孔２６，３７が、相互に対面する位置関係、例えば図２に示すように１２０度ずつの等間隔をおいた３カ所に各別に形成されている。なお、可動側支持体３３の通孔３７は、ねじ材６１の頭部６１ａを当接させるための拡径凹部３７ａが形成されている。
【００２９】
次に、上記構成からなる本発明の作用・効果を図１〜図３を参酌しながら説明する。まず、マイクロホン４１の基端部４２側を送り込むために設置台５１の適宜位置に形成されている導入部５２の開口部５２ａには、固定側支持体２３と、内側凹陥部３４内に弾性保持体１２を対面合致させて配置させた可動側支持体３３とがそれぞれの挿通孔１５，２４，３５を対向させた状態のもとで配置される。この状態のもとでは、図１に示すように弾性保持体１２を介して可動側支持体３３が固定側支持体２３側から浮き上がることになる。
【００３０】
このようにして行われる位置合わせ作業を終了した後は、可動側支持体３３の通孔３７からねじ材６１を送り込み、固定側支持体２３の通孔２６を経て設置台５１側に軽くに螺着することでマイクロホン取付け具１１の仮配置を終了する。
【００３１】
次いで、それぞれの挿通孔１５，２４，３５を介して設置台５１の導入部５２内へとマイクロホン４１の基端部４２側を所定位置まで送り込んだ上で、各ねじ材６１を緊締螺着する。
【００３２】
各ねじ材６１を緊締螺着することにより、可動側支持体３３は、弾性保持体１２を押圧（圧縮変形）しつつ固定側支持体２３側へと位置規制部３６に案内させながら強制的に接近させることができる。
【００３３】
このとき、弾性保持体１２は、可動側支持体３３の内側凹陥部３４からの圧力を受けて変形する結果、その挿通孔１５側に図３に示すように膨出部１７を形成してマイクロホン４１の基端部４２をその周囲から押圧するに至る。なお、その際の押圧力は、ねじ材６１による緊締の程度によって可変調整することができる。
【００３４】
つまり、マイクロホン４１は、弾性保持体１２のみからの押圧力を受けて設置台５１上に簡単、かつ、安定的に設置することができることになる。
【００３５】
したがって、マイクロホン取付け具１１は、弾性保持体１２の圧縮変形の程度を変えることで、図１に示すような長い支柱部４３とその先端部にマイクロホンユニット４４を備えるマイクロホン４１と、短い支柱部を有するマイクロホ（図示せず）とのいずれにも対応させながら、また、マイクロホン４１の基端部４２の外径の大小にも対応させながら設置台５１上に安定的に設置することができることになる。
【００３６】
しかも、マイクロホン４１の基端部４２に対しては、ショックマウントとしての機能をも有する弾性保持体１２のみが保持することとなり、設置台５１側からマイクロホン４１側に伝わる振動雑音を弾性保持体１２を介して効果的に減衰させることができる。
【００３７】
また、可動側支持体３３は、固定側支持体２３の周端面２５に摺接する位置規制部３６を備えているので、該位置規制部３６を介して接離方向での動きを規制しながら均等な加圧力を得ることで、弾性保持体１２を基端部４２側に向けて偏りなく膨出させることができることになる。
【００３８】
さらに、マイクロホン取付け具１１は、固定側支持体２３に対する可動側支持体３３の接離調整を行うねじ材６１を設置台５１単に螺着することで、その全体を位置固定することができるので、マイクロホン４１の設置作業や撤去作業に要する時間を大幅に短縮させることができる。
【００３９】
以上は、図示例に基づいて本発明を述べたものであるが、本発明の内容は、図示例に限られるものではない。例えば、内側凹陥部３４は、可動側支持体３３側ではなく、固定側支持体２３側に形成することもできる。また、位置規制部３６は、可動側支持体３３に設けたものを示したが、逆に、固定側支持体２３に設けてもよい。
【図面の簡単な説明】
【００４０】
【図１】本発明の一例をマイクロホンを固定する前の状態で示す説明図。
【図２】図１に示すマイクロホン取付け具を構成している取付けユニットを示す平面図であり、そのうちの（ａ）は固定側支持体側を、（ｂ）は可動側支持体側をそれぞれ示す。
【図３】本発明の一例をマイクロホンを固定した後の状態で示す説明図。
【図４】従来からあるマイクロホン取付け具の一例をマイクロホンとの関係で示す説明図。
【図５】図４に示すマイクロホン取付け具の平面図。
【符号の説明】
【００４１】
１１  マイクロホン取付け具
１２  弾性保持体
１３  本体部
１４  前傾斜面部
１５  挿通孔
１６  外周面
１７  膨出部
２２  取付けユニット
２３  固定側支持体
２４  挿通孔
２５  周端面
２６  通孔
３３  可動側支持体
３４  内側凹陥部
３５  挿通孔
３６  位置規制部
３７  通孔
３７ａ  拡径凹部
６２  ねじ材
４１  マイクロホン
４２  基端部
４３  支柱部
４４  マイクロホンユニット
５１  設置台
５２  導入部
５２ａ  開口部
６１  ねじ材
６１ａ  頭部
【図１】
2008219687.tif 000003
【図２】
2008219687.tif 000004
【図３】
2008219687.tif 000005
【図４】
2008219687.tif 000006
【図５】
2008219687.tif 000007